(57)【要約】【課題】輝度の低いＬＣＤモジュールの輝度を向上させ、個体間の輝度バラツキを抑えることができるＬＥＤバックライト輝度調整装置を提供することを目的とする。【解決手段】バックライトの光源であるＬＥＤ３ａの光度により切り替えるスイッチ５と、スイッチ５の設定を判別する判断部４ａと、判断部４ａの判別結果に基づいて、ＬＥＤ３ａに与える電流値を変えることができる駆動部４ｄを備え、光度の低いＬＥＤ３ａに与える電流を大きくすることができるので、輝度の低いＬＣＤモジュールの輝度を向上させ、個体間の輝度バラツキを抑えることができる。【選択図】図１
2008107544.tif 000002
【特許請求の範囲】
【請求項１】
表示装置に用いられるＬＣＤモジュールのバックライトの明るさを制御するバックライト輝度調整装置であって、
バックライトの光源であるＬＥＤの光度により切り替えるスイッチと、
前記スイッチの設定を判別する判断部と、
前記判断部の判別結果に基づいて、前記ＬＥＤに与える電流値を変えることができる駆動部と、
を備えたことを特徴とするＬＥＤバックライト輝度調整装置。
【請求項２】
前記ＬＥＤの光度を複数のランクに分類し、切り替える前記スイッチが、前記ＬＥＤの光度を複数のランクに対応した複数接点を有することを特徴とする請求項１記載のＬＥＤバックライト輝度調整装置。
【請求項３】
前記ＬＥＤの光度により切り替えるスイッチに代えて、半導体記憶装置に前記ＬＥＤの光度に対応したＬＥＤ駆動電流の値を記憶させ、前記ＬＥＤの光度に対応した前記半導体記憶装置のアドレスに記憶された電流値によって前記ＬＥＤを駆動するようにしたことを特徴とする請求項１記載のＬＥＤバックライト輝度調整装置。
【発明の詳細な説明】
【技術分野】
【０００１】
本発明はＬＥＤを光源としたＬＣＤモジュールに関するものである。
【背景技術】
【０００２】
近年、表示装置に用いられるＬＣＤモジュールのバックライトの光源には従来の冷陰極蛍光管に代わり白色ＬＥＤが利用されることが多くなり、その対象となるＬＣＤモジュールも大画面化してきている。
【０００３】
以下、従来のパーソナルコンピュータに用いられている表示装置について説明する。
【０００４】
図３は従来のパーソナルコンピュータの外観図である。
【０００５】
図３において、４は制御部を含むパーソナルコンピュータの本体（以下、本体）を示し、１は画面表示を行うＬＣＤモジュールである。
【０００６】
図４は、従来のバックライト駆動装置のブロック図である。
【０００７】
図４において、図３と同じ構成要素については同じ符号を用い、説明を省略する。
【０００８】
図４において、２は１に光を与えるバックライトユニットである。３は２の内部に位置する光源であり、従来の冷陰極蛍光管に代わり白色ＬＥＤが利用されることが多くなっている。４ｂは本体４の内部に位置し、製品に必要となるＬＣＤモジュール１の輝度を確保するために設定された電力を光源３に与える駆動部である。
【特許文献１】特開２０００−３１０７６１号公報
【特許文献２】特開平１１−３０５１９８号公報
【特許文献３】特開２００１−６６５６９号公報
【特許文献４】特開２００６−１６４８４２号公報
【発明の開示】
【発明が解決しようとする課題】
【０００９】
しかしながら、白色ＬＥＤは、その出力する光の光度にバラツキが大きいという特性を有している。そのため、ＬＣＤモジュールの大画面化に対応するため多くのＬＥＤを使って１つのＬＣＤモジュールを構成する際には、それぞれのＬＥＤの光度で選別し、光度の近いＬＥＤ同士を組み合わせて構成することにより、１つのＬＣＤモジュールの画面内に輝度ムラができないような工夫が必要となっている。
【００１０】
また、上記従来の構成では、光度の低いＬＥＤで構成されたＬＣＤモジュールは、輝度が低くなるという課題を有していた。あるいは、光度の低いＬＥＤを使用しないとするとコストアップにつながるという課題を有している。
【００１１】
本発明は、上記従来の課題を解決するもので、輝度の低いＬＣＤモジュールの輝度を向上させ、個体間の輝度バラツキを抑えるＬＥＤバックライト輝度調整装置を提供することを目的とする。
【課題を解決するための手段】
【００１２】
上記従来の課題を解決するために、本発明の請求項１は、
表示装置に用いられるＬＣＤモジュールのバックライトの明るさを制御するバックライト輝度調整装置であって、
バックライトの光源であるＬＥＤの光度により切り替えるスイッチと、
前記スイッチの設定を判別する判断部と、
前記判断部の判別結果に基づいて、前記ＬＥＤに与える電流値を変えることができる駆動部と、
を備えたことを特徴とするＬＥＤバックライト輝度調整装置としたものであり、
輝度の低いＬＣＤモジュールの輝度を向上させ、個体間の輝度バラツキを抑えることができる。
【発明の効果】
【００１３】
本発明のＬＥＤバックライト輝度調整装置によれば、輝度の低いＬＣＤモジュールの輝度を向上させ、個体間の輝度バラツキを抑えることができる。
【発明を実施するための最良の形態】
【００１４】
以下本発明を実施するための最良の形態について、図面を参照しながら説明する。
【００１５】
（実施の形態１）
図１は、本発明の実施の形態１におけるＬＥＤバックライト輝度調整装置のブロック図である。
【００１６】
図１において、図３および図４と同じ構成要素については同じ符号を用い、説明を省略する。
【００１７】
図１において、３ａはバックライトユニット２の内部に位置し、バックライトユニット２の光源となるＬＥＤである。４ｃは抵抗素子である。５はＬＣＤモジュール１の内部に位置するスイッチであり、スイッチ５の開閉により電気信号線６の電位状態をＧＮＤ接続状態と、抵抗素子４ｃを介してＶＣＣに接続された状態に切り替えることができる。４ａはパーソナルコンピュータ本体（以下、本体）４の内部に位置し電気信号線６の電位状態を判別する判断部である。４ｄは本体４の内部に位置し、判断部４ａで判別した電気信号線６の状態に応じてＬＥＤ３ａに与える電流を変更できる駆動部である。
【００１８】
以上のように構成されたＬＥＤバックライト輝度調整装置について図１を用いてその動作を説明する。
【００１９】
予めＬＣＤモジュール１またはバックライトユニット２の輝度、あるいはＬＥＤ３ａ毎の光度を輝度計等で測定し、ある閾値をもって２つのランク、例えば明るい方を「Ｌランク」、暗い方を「Ｄランク」に分類し、ＬＣＤモジュール１またはバックライトユニット２毎にどちらのランクに属するか明示しておく。
【００２０】
次に本体４とＬＣＤモジュール１を組み立てる時に明示されたランクに応じてＬランクであれば、ＬＥＤ駆動電流を少なくする方にスイッチ５を切り替え、反対にＤランクであればＬＥＤ駆動電流を多くする方にスイッチ５を切り替えることで、判断部４ａではこのパーソナルコンピュータ個体のバックライトユニット２の明るさを判別し、駆動部４ｄでバックライトユニット２の明るさを調節する。
【００２１】
かかる構成によれば、ＬＣＤモジュール１の輝度もしくはＬＥＤ３ａの光度に対してある閾値をもってスイッチ５の状態を切り替え、判断部４ａで電気信号線６の電位状態を判別し、判別した状態に応じて駆動部４ｄで駆動する電流値を切り替えることにより、ある閾値より低い輝度のＬＣＤモジュールのみＬＥＤ３ａに流す電流を増やして輝度を向上させることが可能になる。
【００２２】
（実施の形態２）
図２は、本発明の実施の形態２におけるＬＥＤバックライト輝度調整装置のブロック図である。図２において、図１、図３および図４と同じ構成要素については同じ符号を用い、説明を省略する。
【００２３】
図２において、５ａは１の内部に位置し、複数の接点を持つスイッチである。７ａ、７ｂ、・・・、７ｎはそれぞれ異なる抵抗値を持つ抵抗素子であり、スイッチ５ａのそれぞれの接点と電気的ＧＮＤの間に接続されている。
【００２４】
以上のように構成されたＬＥＤバックライト輝度調整装置について図２を用いてその動作を説明する。
【００２５】
予めＬＣＤモジュール１またはバックライトユニット２の輝度、あるいはＬＥＤ３ａ毎の光度を輝度計等で測定し、複数の閾値をもって７ａ〜７ｎのランク、例えば明るい方から「ａランク」、「ｂランク」．．．暗い方を「ｎランク」のように分類し、ＬＣＤモジュール１またはバックライトユニット２毎にどのランクに属するか明示しておく。
【００２６】
次に本体４とＬＣＤモジュール１を組み立てる時に明示されたａ〜ｎの各ランクに応じてスイッチ５ａを切り替えることで、判断部４ａではこのパーソナルコンピュータ個体のバックライトユニット２の明るさを判別し、駆動部４ｄではバックライトユニット２の明るさを調節する。
【００２７】
かかる構成によれば、スイッチ５ａの状態を切り替えることにより、実施の形態１に比べ、より細かな設定を行うことができる。
【００２８】
なお、予めバックライトユニット２毎の明るさを測定する場合、ＬＥＤを駆動する電流は所定の電流で駆動してバックライトユニット２の明るさを各ランクに分類し、本体４とＬＣＤモジュール１を組み立てる時に駆動部４ｄでは各ランクに応じた適切な電流値になるようにスイッチ５，または５ａを切り替えて、駆動部４ｄでは各ランクに応じた適切な電流値になるようにＬＥＤを駆動する。
【００２９】
あるいは、本体４とＬＣＤモジュール１を組み立て後に所定の電流でＬＥＤを駆動してその明るさを測定し、どのランクに属するかを判別し、各ランクに応じたスイッチ５，または５ａを切り替えて、駆動部４ｄでは各ランクに応じた適切な電流値になるようにＬＥＤを駆動するようにしてもよい。
【００３０】
また、本実施の形態において、複数の接点をもつスイッチ５ａを用いたが、スイッチ５ａ、抵抗素子４ｃ、抵抗素子７ａ、７ｂ、・・・、７ｎの代わりにフラッシュＲＯＭ等の半導体記憶素子を用い、デジタル化された信号を判断部４ａで判断しても同様の効果が得られる。
【００３１】
また、そのような構成を用いた場合には、本体４から直接設定を切り替えることができるという効果も得られる。
【産業上の利用可能性】
【００３２】
本発明にかかるＬＥＤバックライト輝度調整装置は、輝度の低いＬＣＤモジュールの輝度を向上させ、個体間の輝度バラツキを抑えることが可能になるので、ＬＥＤを光源としたＬＣＤモジュール等として有用である。
【図面の簡単な説明】
【００３３】
【図１】本発明の実施の形態１におけるＬＥＤバックライト輝度調整装置のブロック図
【図２】本発明の実施の形態２におけるＬＥＤバックライト輝度調整装置のブロック図
【図３】パーソナルコンピュータの外観図
【図４】従来のバックライト駆動装置のブロック図
【符号の説明】
【００３４】
１  ＬＣＤモジュール
２  バックライトユニット
３  光源
３ａ  ＬＥＤ
４  パーソナルコンピュータの本体
４ａ  判断部
４ｂ、４ｄ  駆動部
４ｃ  抵抗素子
５  スイッチ
５ａ  複数の接点を持つスイッチ
６  電気信号線
７ａ、７ｂ、７ｎ  抵抗素子
【図１】
2008107544.tif 000003
【図２】
2008107544.tif 000004
【図３】
2008107544.tif 000005
【図４】
2008107544.tif 000006